(57)【要約】【課題】  ジャンル別に送信された文字情報をさらに細分化して検索できるようにすると共に、ユーザがキーワードを指定して文字情報を取捨選択できるようにし、更に、ユーザが指定したキーワードを文字情報と一緒に画面上で把握できるようにする。【解決手段】  少なくとも、文字情報、テレビジョン信号が符号化された標準テレビジョン信号、及び付加情報とが多重化された特定のＩＳＤＢ用放送信号が選局されて複合され、復号された文字情報、及び当該文字情報に関連づけられた付加情報に含まれるキーワードが記録再生部５６に記録され、入力されたキーワードに基づいてこの記録再生部５６から対応する文字情報が検索されて再生され、入力されたキーワードと、再生されたこの文字情報とを映像信号ＳＶに合成してモニタ５３に出力する加算器６２を備えたものである。【選択図】        図２
2006238486.tif 000002
【特許請求の範囲】
【請求項１】
少なくとも、文字情報が符号化された第１の符号化情報、テレビジョン信号が符号化された第２の符号化情報、及び付加情報とが多重化された特定の放送信号を選局する選局手段と、
上記選局手段により選局された上記特定の放送信号を上記第１の符号化情報、上記第２の符号化情報、及び上記付加情報に分離する信号分離手段と、
上記第１の符号化情報を復号し上記文字情報を出力する第１の復号手段と、
上記第２の符号化情報を復号し上記テレビジョン信号を出力する第２の復号手段と、
上記第１の復号手段により復号された上記文字情報、及び当該文字情報に関連づけて上記付加情報に含まれるキーワードを記録媒体に記録する記録／再生手段と、
少なくともキーワードを入力する入力手段と、
上記入力手段により入力されたキーワードに基づいて上記記録媒体から対応する文字情報を検索し、当該検索された文字情報を上記記録／再生手段が再生するように制御する制御手段と、
上記入力手段により入力されたキーワードと、上記記録／再生手段から再生された上記文字情報とを、上記テレビジョン信号に合成してモニタに出力する合成手段と、
を備えたことを特徴とする受信装置。
【請求項２】
上記合成手段は、上記キーワードと上記文字情報とが、上記テレビジョン信号にスーパーインポーズされるように、合成してモニタに出力することを特徴とする請求項１に記載の受信装置。
【請求項３】
上記記録／再生手段は、上記復号手段により復号された上記文字情報をプリンタに出力する手段を有したことを特徴とする請求項１に記載の受信装置。
【発明の詳細な説明】
【技術分野】
【０００１】
この発明は、放送システムなどに適用して好適な受信装置に関する。詳しくは、少なくとも、文字情報が符号化された第１の符号化情報、テレビジョン信号が符号化された第２の符号化情報、及び付加情報とが多重化された特定の放送信号が選局されて複合され、復号された文字情報、及び当該文字情報に関連づけて付加情報に含まれるキーワードが記録媒体に記録され、入力されたキーワードに基づいてこの記録媒体から対応する文字情報が検索されて再生され、入力されたキーワードと再生されたこの文字情報とをテレビジョン信号に合成してモニタに出力する合成手段を備え、ジャンル別に送信された文字情報をさらに細分化して検索できるようにすると共に、ユーザがキーワードを指定して文字情報を取捨選択できるようにし、更に、ユーザが指定したキーワードを文字情報と一緒に画面上で把握できるようにする。
【背景技術】
【０００２】
ディジタル技術の発展に伴い、放送界でも放送信号を含めた各種情報をディジタル化したインタラクティブ形式の統合ディジタル放送システム（ＩＳＤＢ（Integrated Services Digital Broadcasting）システムという）が研究・開発されている。
【０００３】
具体的には、このＩＳＤＢシステムとは現行の放送信号（標準テレビジョン信号、ハイビジョン信号）を始めとして、ソフトウエアやファクシミリなどのデータ、さらには音声、文字、図形、画像などのマルチメディア情報をそれぞれディジタル化（符号化）し、それらを統合多重化した上で、伝送形態に合致した変調処理を施して送信するようにした放送システムのことである。
【０００４】
放送信号を含めた各種情報を統合多重化する場合、これらの情報の他に受信側での制御情報として使用する付加情報も同時に統合多重化されて送信することができる。統合化されたＩＳＤＢ用放送信号（ディジタル信号）は地上波、衛星波、光ケーブルなどを利用して送信される。
【０００５】
受信端末側では、統合化されたＩＳＤＢ用放送信号を受信して目的の信号を弁別することによってそれをモニタに表示させて通常のテレビ放送として楽しむことができることは勿論、記録手段を用いて記録（保存）したり、他の端末に転送したりすることができる。さらに受信した付加情報を利用すれば、モニタ制御、記録制御さらにはモニタされた画像に対する加工制御など、ユーザの好みに応じて受信情報を利用できることになる。つまり、対話形式（インタラクティブ）の放送システムを構築できる。
【０００６】
【特許文献１】特開２００５−１２３１１６号公報（第４頁、第１図）
【発明の開示】
【発明が解決しようとする課題】
【０００７】
したがってこのＩＳＤＢシステムを利用すれば、送信される付加情報が多種、多様になる程、ユーザに対するサービス内容が向上し、より双方向的な放送システムを構築できる。
【０００８】
さて、現行の放送システムの中でも現行テレビジョン信号の隙間（ブランキング期間）を利用して文字多重信号が挿入され、受信側ではこの文字多重信号を受信し、ジャンルを指定することで文字放送を画面上に映し出すことができるようなサービスが行なわれている。ＩＳＤＢ放送システムでも現行の文字放送システムを導入することが可能である。
【０００９】
文字放送では、ジャンル別に文字放送を放送している。その項目は周知のようにニュース、スポーツ、天気予報、交通情報、レジャー情報などであり、非常に大間かな区分けしかなされていない。実際ユーザがこの文字放送を選択する場合でも、これらジャンル別の分け方よりももっと細かな細目を指定したいことがある。
【００１０】
例えば、同じニュースでも国内ニュースなのか、海外ニュースなのか、スポーツでも野球なのか、サッカーなのか、相撲なのか、同じ野球という中ジャンルでも、国内球団の試合結果を見たいのか、海外例えばアメリカリーグを見たいのか、さらにアメリカリーグでも特定球団の特定の投手（例えば野茂投手）の結果を見たいのか（小ジャンル）、など様々である。ユーザにとってこのような細目の分類（キーワードという）を指定できれば、不要な情報をカットして自分の得たい情報だけを収集できるので頗る便利である。これもまた時代にマッチしたサービスと言える。
このように階層化されたハイパーな文字放送は、制御情報などを付加情報として伝送できるＩＳＤＢ放送システムでは好適なサービス形態と言える。
【００１１】
そこで、本発明はこのような課題を解決したものであって、ジャンル別に送信された文字情報をさらに細分化して検索できるようにすると共に、ユーザがキーワードを指定して文字情報を取捨選択できるようにし、更に、ユーザが指定したキーワードを文字情報と一緒に画面上で把握できるようにした受信装置を提供することを目的とする。
【課題を解決するための手段】
【００１２】
上述した課題を解決するために、本発明に係る請求項１に記載の受信装置は、少なくとも、文字情報が符号化された第１の符号化情報、テレビジョン信号が符号化された第２の符号化情報、及び付加情報とが多重化された特定の放送信号を選局する選局手段と、上記選局手段により選局された上記特定の放送信号を上記第１の符号化情報、上記第２の符号化情報、及び上記付加情報に分離する信号分離手段と、上記第１の符号化情報を復号し上記文字情報を出力する第１の復号手段と、上記第２の符号化情報を復号し上記テレビジョン信号を出力する第２の復号手段と、上記第１の復号手段により復号された上記文字情報、及び当該文字情報に関連づけて上記付加情報に含まれるキーワードを記録媒体に記録する記録／再生手段と、少なくともキーワードを入力する入力手段と、上記入力手段により入力されたキーワードに基づいて上記記録媒体から対応する文字情報を検索し、当該検索された文字情報を上記記録／再生手段が再生するように制御する制御手段と、上記入力手段により入力されたキーワードと、上記記録／再生手段から再生された上記文字情報とを、上記テレビジョン信号に合成してモニタに出力する合成手段とを備えたことを特徴とするものである。
【００１３】
本発明に係る受信装置によれば、選局手段は、少なくとも、文字情報が符号化された第１の符号化情報、テレビジョン信号が符号化された第２の符号化情報、及び付加情報とが多重化された特定の放送信号を選局する。信号分離手段は、選局手段により選局された特定の放送信号を第１の符号化情報、第２の符号化情報、及び付加情報に分離する。第１の復号手段は、第１の符号化情報を復号し文字情報を出力する。第２の復号手段は、第２の符号化情報を復号しテレビジョン信号を出力する。記録／再生手段は、第１の復号手段により復号された文字情報、及び当該文字情報に関連づけて付加情報に含まれるキーワードを記録媒体に記録する。入力手段は、少なくともキーワードを入力する。制御手段は、入力手段により入力されたキーワードに基づいて記録媒体から対応する文字情報を検索し、検索された文字情報を記録／再生手段が再生するように制御する。合成手段は、入力手段により入力されたキーワードと、記録／再生手段から再生された文字情報とを、テレビジョン信号に合成してモニタに出力する。これにより、ジャンル別に送信された文字情報をさらに細分化して検索できるようになると共に、ユーザがキーワードを指定して文字情報を取捨選択できるようになり、更に、ユーザが指定したキーワードを文字情報と一緒に画面上で把握できるようになる。
【発明の効果】
【００１４】
本発明に係る受信装置によれば、少なくとも、文字情報が符号化された第１の符号化情報、テレビジョン信号が符号化された第２の符号化情報、及び付加情報とが多重化された特定の放送信号が選局されて複合され、復号された文字情報、及び当該文字情報に関連づけて付加情報に含まれるキーワードが記録媒体に記録され、入力されたキーワードに基づいてこの記録媒体から対応する文字情報が検索されて再生され、入力されたキーワードと、再生されたこの文字情報とをテレビジョン信号に合成してモニタに出力する合成手段を備えたものである。
【００１５】
この構成によって、ジャンル別に送信された文字情報をさらに細分化して検索できるようになると共に、ユーザがキーワードを指定して文字情報を取捨選択できるようになり、更に、ユーザが指定したキーワードを文字情報と一緒に画面上で把握できるようになる。
【発明を実施するための最良の形態】
【００１６】
続いて、この発明に係る受信装置の実施の一形態を、図面を参照して詳細に説明する。
【００１７】
図１は、受信装置へＩＳＤＢ用放送信号を送信するＩＳＤＢ用送信装置１０の一形態を示す要部の系統図であって、本例では説明の便宜上統合されて送信されるメイン情報としては、標準テレビジョン信号、ハイビジョン信号そして文字多重信号であるものとする。文字多重信号は標準テレビジョン信号のブランキング期間に挿入されるものとする。そして、そのそれぞれには制御情報などの付加情報が付加されて多重化される。付加情報は多種多様な情報が考えられる。標準テレビジョン信号やハイビジョン信号に関してはタイムコードなどが考えられる。
【００１８】
図１を参照すると、端子１２ａには標準テレビジョン信号のうち映像信号ＳＶＮが、端子１２ｂにはそれに付随した音声信号ＳＡＮが供給され、符号化部１４で圧縮などを含めた適切な符号化処理が施される。この符号化処理に同期して付加情報発生手段１６が動作して、制御情報などの付加情報が生成される。本例では付加情報としてタイムコードを例示するので、タイムコード発生部１６として構成される。符号化された標準テレビジョン信号およびタイムコードＴＣは多重化部２０に供給されて他の情報と共に多重化処理がなされる。
【００１９】
端子２２ａにはハイビジョン信号のうち映像信号ＳＶＨが、端子２２ｂにはそれに付随した音声信号ＳＡＨが供給され、符号化部２４で圧縮などを含めた符号化処理が施される。この符号化処理に同期して付加情報発生手段としてのこの例ではタイムコード発生部２６が起動されて所定のタイムコードが生成される。
【００２０】
また、端子２８ａには文字多重信号ＳＤが供給され、これが符号化部３０で符号化される。同時に付加情報発生手段３２が起動されて送信すべき文字情報のジャンルとそのジャンルの中のキーワードが付加情報として生成される。付加情報にはさらに文字情報を拡大縮小するための制御コード、表示位置指定コードなどが考えられる。
【００２１】
それぞれから得られた符号化情報や付加情報はそれぞれ多重化部２０において多重される。多重化部２０では、例えば符号化情報のそれぞれに対してパケット化し、それに誤り訂正のための符号化を施したもの同士を伝送フレーム単位で多重してビットストリーム化するような処理が行なわれる。上述した付加情報はパケット化するときそのヘッダ（パケットヘッダ）に挿入することができる。
【００２２】
多重化したデータは送信部３４で送信手段（例えば放送衛星）に適した送信形態となされたＩＳＤＢ用放送信号に変調されたのち、この例ではアップコンバータ３６を経て送信アンテナ（パラボラアンテナ）３８で放送衛星に向けて送信される。
【００２３】
図２は上述したようなＩＳＤＢ用放送信号を受信するこの発明に係るＩＳＤＢ用受信装置４０の一例を示す。
【００２４】
受信アンテナ（パラボラアンテナ）４２で受信した衛星波はダウンコンバータ４４によって１ＧＨｚ帯にダウンコンバートされ、その後ＩＳＤＢ用チューナ４６に供給されて選局処理が行なわれる。そのため端子４８よりの選局信号ＳＣによって文字放送を含めた特定チャネルのＩＳＤＢ用放送信号が選局される。
【００２５】
選局されたＩＳＤＢ用放送信号は信号分離手段５０に供給されて、本来のメイン情報と付加情報に分離される。例えば標準テレビジョン信号のうち特定のチャネルが選局されたときには、標準テレビジョン信号とこの特定チャネルに付随する付加情報（タイムコードなど）とに分離される。標準テレビジョン信号中に挿入された文字情報も同時に分離される。分離された標準テレビジョン信号は復号部５２において復号され、映像信号ＳＶと音声信号ＳＡとがそれぞれ復号され、これらはモニタ（ＣＲＴ，ＬＣＤなど）５３に供給されて映像が映し出される。
【００２６】
信号分離手段５０で分離された情報のうち文字情報は文字放送復号部５４で復号され、記録再生部５６で記録される。記録再生部５６としてはＶＴＲ，データレコーダ、光磁気ディスク記録再生装置、半導体メモリ手段（ＲＡＭなど）などを使用することができる。記録再生部５６の記録容量が一杯になったときは古い記録情報に最新の文字情報が重ね書きされる。
【００２７】
文字情報の記録と同時に文字情報に関する付加情報（ジャンルとキーワード）がさらにキーワード復号部５８に供給され、ジャンルとキーワードがそれぞれ復号され、その後記録再生部５６で記録される。ジャンルとキーワードは文字情報と関連付けて記録することができる。検索を迅速かつ容易に行なうためには、ジャンルとキーワードとを階層化して記録することが好ましいからである。
【００２８】
受信装置４０のパネル操作面に設けられたキー操作部５９を操作して文字放送が選択されたときには、ここでジャンルとキーワードの双方若しくはキーワードのみが指定される。この指定データは制御部６０に供給されて例えば記録再生部５６の検索コード（記録されたジャンルとキーワードに対応するコード）に変換される。検索処理の結果、同一のジャンルとキーワードが存在したときには記録再生部５６から、対応する文字情報が再生されて外部に出力される。
【００２９】
例えば、スポーツというジャンルの中で、「野茂投手」というキーワードを指定した場合、「野茂投手」というキーワードで文字情報が記録されているときは、その文字情報が検索・再生される。この文字情報は加算器７０で映像信号ＳＶに合成されてモニタ５３に供給される。その結果、映像信号ＳＶにスーパーインポーズする形で、あるいは単独で検索された文字情報が画面上に表示される。例えばアメリカのオールスターに日本人選手として初めて選ばれ、しかも先発投手となり、２回を好投して、絶賛を博したと言った内容が表示される。
【００３０】
ユーザがどのジャンルのどのキーワードを指定したかを画面上に文字情報と一緒に同時に表示することもできる。そのためキーワードやジャンルをそれぞれ文字データに変換するための変換手段６４が設けられ、変換された文字信号が加算器６２で文字情報信号に加算されてモニタ５３に供給される。こうすることによって、ユーザの指定内容も同時に画面上で把握できる。
【００３１】
選択された文字情報はプリンタ６６に与えることによって文字情報をハードコピーすることもできる。また、選択された文字情報のみならず、記録再生部５６で記録した文字情報をそのジャンルとキーワードを含めて専用メモリ手段６８に蓄えるようにすれば文字情報のデータベース化を図ることができる。専用のメモリ手段６８を使用することで記録再生部５６の容量を少なくできる。
【００３２】
記録再生部５６を介すことなく直接復号された文字情報などをこのメモリ手段６８に蓄えることもできるし、全ての文字情報ではなく、ユーザが指定した文字情報のみを蓄えるようにすることもできる。ユーザが指定するときだけメモリ手段６８を動作させるにはキー操作部５９からその制御動作を指定すればよい。
【００３３】
メモリ手段６８としては、上述したＶＴＲ，データレコーダ、光磁気ディスク記録再生装置、半導体メモリなどを使用することができる。
【００３４】
この発明は、現行のアナログテレビジョン信号に対しても適用できる。水平若しくは垂直ブランキング期間に挿入される文字多重信号の他に、キーワードを示すコードなどを同時に挿入すればよいからである。
【００３５】
このように、本発明に係る受信装置４０によれば、少なくとも、文字情報、テレビジョン信号が符号化された標準テレビジョン信号、及び付加情報とが多重化された特定のＩＳＤＢ用放送信号が選局されて複合され、復号された文字情報、及び当該文字情報に関連づけられた付加情報に含まれるキーワードが記録再生部５６に記録され、入力されたキーワードに基づいてこの記録再生部５６から対応する文字情報が検索されて再生され、入力されたキーワードと、再生されたこの文字情報とを映像信号ＳＶに合成してモニタ５３に出力する加算器６２を備えたものである。
【００３６】
従って、ジャンル別に送信された文字情報をさらに細分化して検索できるようになると共に、ユーザがキーワードを指定して文字情報を取捨選択できるようになり、更に、ユーザが指定したキーワードを文字情報と一緒に画面上で把握できるようになる。
【産業上の利用可能性】
【００３７】
この発明は、ＩＳＤＢ放送システムの受信装置などに適用して好適なものである。
【図面の簡単な説明】
【００３８】
【図１】受信装置へＩＳＤＢ用放送信号を送信するＩＳＤＢ用送信装置１０の一形態を示す要部の系統図である。
【図２】この発明に係るＩＳＤＢ用受信装置４０の実施の一形態を示す要部の系統図である。
【符号の説明】
【００３９】
１０・・・ＩＳＤＢ用送信装置、１４，２４，３０・・・符号化部、１６，２６・・・タイムコード発生手段、２０・・・多重化部、３２・・・付加情報発生手段、４６・・・ＩＳＤＢ用チューナ、５２・・・復号部、５３・・・モニタ、５４・・・文字放送復号部、５６・・・記録再生部、５８・・・キーワード復号部
【図１】
2006238486.tif 000003
【図２】
2006238486.tif 000004